(57)【要約】【課題】体脂肪率などの生体情報を簡便に測定することができる生体測定装置を提供する。【解決手段】生体測定装置は、被測定者の第１生体情報（身長情報、性別情報）が入力される生体情報入力部と、被測定者の第２生体情報（体重、生体インピーダンス）を測定する生体情報測定部と、生体情報入力部に入力される第１生体情報及び生体情報測定部で測定される第２生体情報に基づいて第３生体情報（体脂肪率）を算出する生体情報演算部と、を備える。被測定者の第１生体情報（身長情報、性別情報）は、生体情報入力部に対して１回の操作で入力可能である。【選択図】  図１
2010022674.tif 000002
【特許請求の範囲】
【請求項１】
被測定者の第１生体情報が１回の操作で入力可能な生体情報入力部と、
前記被測定者の第２生体情報を測定する生体情報測定部と、
前記生体情報入力部により入力される前記第１生体情報及び前記生体情報測定部で測定される前記第２生体情報に基づいて第３生体情報を算出する生体情報演算部と、を備えること
を特徴とする生体測定装置。
【請求項２】
前記生体情報入力部は、前記第１生体情報と関連づけられたスライド部を有し、前記被測定者の前記第１生体情報に対応する位置に前記スライド部がスライドされることによって、前記被測定者の前記第１生体情報が入力されることを特徴とする請求項１に記載の生体測定装置。
【請求項３】
前記生体情報入力部は、前記第１生体情報と関連づけられたダイヤル部を有し、前記被測定者の前記第１生体情報に対応する位置に前記ダイヤル部が回転されることによって、前記被測定者の前記第１生体情報が入力されることを特徴とする請求項１に記載の生体測定装置。
【請求項４】
前記生体情報入力部は、前記第１生体情報と関連づけられた複数のプッシュボタンを有し、前記被測定者の前記第１生体情報に対応する前記プッシュボタンが押されることによって、前記被測定者の前記第１生体情報が入力されることを特徴とする請求項１に記載の生体測定装置。
【請求項５】
前記生体情報入力部は、前記第１生体情報と関連づけられたタッチパネルを有し、前記タッチパネルのうち前記被測定者の前記第１生体情報に対応する位置がタッチされることによって、前記被測定者の前記第１生体情報が入力されることを特徴とする請求項１に記載の生体測定装置。
【請求項６】
前記生体情報入力部は、前記生体情報測定部における前記第２生体情報の測定、及び／又は、前記生体情報演算部における前記第３生体情報の算出の開始スイッチを兼ねることを特徴とする請求項１乃至請求項５のうち、いずれか１に記載の生体測定装置。
【請求項７】
前記生体情報入力部は、連続的な前記第１生体情報と関連づけられており、前記被測定者の前記第１生体情報は、この連続的な前記第１生体情報の中から入力されることを特徴とする請求項１乃至請求項６のうち、いずれか１に記載の生体測定装置。
【請求項８】
前記生体情報入力部は、所定間隔毎の前記第１生体情報と関連づけられており、前記被測定者の前記第１生体情報は、この所定間隔毎の前記第１生体情報の中から入力されることを特徴とする請求項１乃至請求項６のうち、いずれか１に記載の生体測定装置。
【請求項９】
前記第１生体情報は、前記被測定者の複数の生体情報を含み、
前記生体情報入力部は、各々関連付けられた前記複数の生体情報ごとに設けられて、前記複数の生体情報の各々が１回の操作で入力可能なことを特徴とする請求項１乃至請求項８のうち、いずれか１に記載の生体測定装置。
【請求項１０】
前記第１生体情報は、前記被測定者の複数の生体情報を含み、
前記生体情報入力部は、前記複数の生体情報のうち少なくとも２以上の生体情報が同時に関連付けられており、前記２以上の生体情報が１回の操作で入力可能なことを特徴とする請求項１乃至請求項８のうち、いずれか１に記載の生体測定装置。
【請求項１１】
前記生体情報入力部は、前記被測定者の身長情報が１回の操作で入力される身長入力部を有し、前記第１生体情報は、前記身長入力部に入力される前記身長情報を含むことを特徴とする請求項１乃至請求項１０のうち、いずれか１に記載の生体測定装置。
【請求項１２】
前記生体情報入力部は、前記被測定者の性別情報が１回の操作で入力される性別入力部を有し、前記第１生体情報は、前記性別入力部に入力される前記性別情報を含むことを特徴とする請求項１乃至請求項１１のうち、いずれか１に記載の生体測定装置。
【請求項１３】
前記第２生体情報は、前記被測定者の生体インピーダンスを含み、前記第３生体情報は、前記被測定者の体脂肪率を含むことを特徴とする請求項１２に記載の生体測定装置。
【発明の詳細な説明】
【技術分野】
【０００１】
本発明は、被測定者の生体情報を測定する生体測定装置に関し、特に、被測定者の体重や体脂肪率等の生体情報を簡便に測定することができる生体測定装置に関する。
【背景技術】
【０００２】
被測定者の生体情報（例えば、体重、体脂肪率）を測定する生体測定装置は、その用途に合わせて従来より数多く提供されている。例えば、特定の人間の使用が意図される家庭用の生体測定装置、不特定多数の人間の使用が意図される公共の場における生体測定装置など、様々な種類の生体測定装置が提供されている。
【０００３】
また近年では、健康志向の高まりに伴って、被測定者の体重のみを測定する体重計のような単一の生体情報を測定する生体測定装置のみならず、被測定者の複数の生体情報から別の生体情報を推定値として算出することが可能な生体測定装置も提供されている。このような生体測定装置として、例えば被測定者の身長、性別、年齢、生体インピーダンスなどの生体情報に基づき、体脂肪率、内臓脂肪レベル（内臓脂肪面積）、体水分量、筋肉量、基礎代謝量、骨量、除脂肪量、体細胞量、ＢＭＩ（Ｂｏｄｙ  Ｍａｓｓ  Ｉｎｄｅｘ）、肥満度、細胞内液量、細胞外液量などの生体情報を測定可能な、体重計付き体脂肪計や体重計付き体組成計（以下、単に「体脂肪計」、「体組成計」とも表記する）、が提案されている（例えば特許文献１参照）。
【０００４】
【特許文献１】特開２００６−２３９２３７
【発明の開示】
【発明が解決しようとする課題】
【０００５】
このような体脂肪計等の生体測定装置は、一般的に、体脂肪率などの生体情報をより正確に算出するためのパラメータとして、実測により取得される体重や生体インピーダンスの外、身長や性別などの生体情報をも必要とされる。これらの身長や性別などの生体情報は、被測定者が、測定前又は測定時に手動によって直接入力する必要がある。
【０００６】
例えば家庭等において日常的に使用される体脂肪計の場合、購入後に電池を入れて直ぐに体脂肪率等の生体情報の測定を行いたいというニーズがある。また公共施設等において不特定多数のユーザ（被測定者）が利用する体脂肪計等の場合、簡単かつ短時間に体脂肪率等の生体情報を測定したいというニーズがある。しかしながら、体脂肪率のような生体情報の測定に必要とされる、身長や性別などの生体情報の入力や登録は、操作方法を既に知っているユーザにとっては比較的簡単な作業かもしれないが、操作方法を知らないユーザにとっては複雑で難しい作業である場合が少なくない。また、操作方法を知っているユーザであっても、入力作業自体が煩わしく感じる場合もある。そのため、生体測定装置の利用自体が敬遠されることもある。
【０００７】
図１２は、一般的な体脂肪計における測定の流れを示すフローチャートであり、一例として、生体情報としての性別、年齢、身長の入力を必要とする体脂肪計の体脂肪率の測定の流れを示すフローチャートを図示する。図１２に示される例では、まず、図１２に示すように、体脂肪計に電池がセットされたり、体脂肪計のプラグがコンセントに差し込まれる等により、体脂肪計の電源部の準備が行われる（ステップＳ３０）。そして、性別、年齢、身長を被測定者別に登録する登録モードとするために、設定登録ボタンが押される（ステップＳ３１）。そして、アップボタン又はダウンボタン等の操作により、複数の識別番号の中から、設定登録対象の被測定者を特定する個人番号が選択され（ステップＳ３２）、設定登録対象の個人番号（識別番号）を確定するための設定登録ボタンが押される（ステップＳ３３）。そして、アップボタン又はダウンボタン等の操作により、被測定者の性別が選択され（ステップＳ３４）、被測定者の性別を登録するための設定登録ボタンが押される（ステップＳ３５）。同様に、アップボタン又はダウンボタン等の操作により、被測定者の年齢が選択され（ステップＳ３６）、被測定者の年齢を登録するための設定登録ボタンが押され（ステップＳ３７）、アップボタン又はダウンボタン等の操作により、被測定者の身長が選択され（ステップＳ３８）、被測定者の身長を登録するための設定登録ボタンが押される（ステップＳ３９）。そして、測定を開始するために一旦電源ＯＦＦボタンが押され（ステップＳ４０）、被測定者別に生体情報を登録した個人番号に対応するデータ呼出キーが、体脂肪計の側部等に設けられる複数のフットスイッチの中から押される（ステップＳ４１）。このようにして、体重及び体脂肪率の測定のための測定準備（体重測定のためのゼロ点調整を含む）が行われ、その後に被測定者が体脂肪計の所定の測定箇所に載ることによって、体重及び体脂肪率の測定が行われる（ステップＳ４２）。このように図１２に示される体脂肪計の場合、測定開始までに、上記のような多くの操作動作を要するものであった。
【０００８】
また、近年の生体測定装置の高機能化に伴って、入力作業を含む測定プロセスは複雑化し、取扱説明書の説明事項も難解なものが増えており、そのような取扱説明書を読みながら測定準備を行うことは手間が掛かる作業となっている。特に、機械操作の苦手な人々や、比較的細かい作業が苦手なシニア層にとっては、煩わしく感じる場合があり、生体測定装置の利用を敬遠されてしまうこともある。
【０００９】
その一方で、体脂肪率等の生体情報を習慣的に測定したいというニーズもあり、特に健康意識が高まる中高年層などにおいては、そのニーズが非常に強い。また、一人や二人によって構成される世帯が増えている最近の社会実情下では、必ずしも、多人数での使用が可能な機能を有する生体測定装置が必要とされないケースもある。また、売り場には様々な機能を有する多数の生体測定装置が並べられることも多く、目的の生体情報を簡単に測定することができる生体測定装置を選ぶことが難しくなっており、シンプルで使いやすい生体測定装置のニーズもある。
【００１０】
本発明は上述の事情に鑑みてなされたものであり、その目的は、体脂肪率などの生体情報を簡便に測定することができる生体測定装置を提供することにある。
【課題を解決するための手段】
【００１１】
上記課題を解決するために、本発明の生体測定装置は、被測定者の第１生体情報が１回の操作で入力可能な生体情報入力部と、前記被測定者の第２生体情報を測定する生体情報測定部と、前記生体情報入力部により入力される前記第１生体情報及び前記生体情報測定部で測定される前記第２生体情報に基づいて第３生体情報を算出する生体情報演算部と、を備えることを特徴とする。
【００１２】
本発明の生体測定装置において、前記生体情報入力部は、前記第１生体情報と関連づけられたスライド部を有し、前記被測定者の前記第１生体情報に対応する位置に前記スライド部がスライドされることによって、前記被測定者の前記第１生体情報が入力されることを特徴とする。
【００１３】
本発明の生体測定装置において、前記生体情報入力部は、前記第１生体情報と関連づけられたダイヤル部を有し、前記被測定者の前記第１生体情報に対応する位置に前記ダイヤル部が回転されることによって、前記被測定者の前記第１生体情報が入力されることを特徴とする。
【００１４】
本発明の生体測定装置において、前記生体情報入力部は、前記第１生体情報と関連づけられた複数のプッシュボタンを有し、前記被測定者の前記第１生体情報に対応する前記プッシュボタンが押されることによって、前記被測定者の前記第１生体情報が入力されることを特徴とする。
【００１５】
本発明の生体測定装置において、前記生体情報入力部は、前記第１生体情報と関連づけられたタッチパネルを有し、前記タッチパネルのうち前記被測定者の前記第１生体情報に対応する位置がタッチされることによって、前記被測定者の前記第１生体情報が入力されることを特徴とする。
【００１６】
本発明の生体測定装置において、前記生体情報入力部は、前記生体情報測定部における前記第２生体情報の測定、及び／又は、前記生体情報演算部における前記第３生体情報の算出の開始スイッチを兼ねることを特徴とする。
【００１７】
本発明の生体測定装置において、前記生体情報入力部は、連続的な前記第１生体情報と関連づけられており、前記被測定者の前記第１生体情報は、この連続的な前記第１生体情報の中から入力されることを特徴とする。
【００１８】
本発明の生体測定装置において、前記生体情報入力部は、所定間隔毎の前記第１生体情報と関連づけられており、前記被測定者の前記第１生体情報は、この所定間隔毎の前記第１生体情報の中から入力されることを特徴とする。
【００１９】
本発明の生体測定装置において、前記第１生体情報は、前記被測定者の複数の生体情報を含み、前記生体情報入力部は、各々関連付けられた前記複数の生体情報ごとに設けられて、前記複数の生体情報の各々が１回の操作で入力可能なことを特徴とする。
【００２０】
本発明の生体測定装置において、前記第１生体情報は、前記被測定者の複数の生体情報を含み、前記生体情報入力部は、前記複数の生体情報のうち少なくとも２以上の生体情報が同時に関連付けられており、前記２以上の生体情報が１回の操作で入力可能なことを特徴とする。
【００２１】
本発明の生体測定装置において、前記生体情報入力部は、前記被測定者の身長情報が１回の操作で入力される身長入力部を有し、前記第１生体情報は、前記身長入力部に入力される前記身長情報を含むことを特徴とする。
【００２２】
本発明の生体測定装置において、前記生体情報入力部は、前記被測定者の性別情報が１回の操作で入力される性別入力部を有し、前記第１生体情報は、前記性別入力部に入力される前記性別情報を含むことを特徴とする。
【００２３】
本発明の生体測定装置において、前記第２生体情報は、前記被測定者の生体インピーダンスを含み、前記第３生体情報は、前記被測定者の体脂肪率を含むことを特徴とする。
【発明の効果】
【００２４】
本発明の生体測定装置によれば、被測定者の第１生体情報が１回の操作で入力される生体情報入力部と、前記被測定者の第２生体情報を測定する生体情報測定部と、前記生体情報入力部に入力される前記第１生体情報及び前記生体情報測定部で測定される前記第２生体情報に基づいて第３生体情報を算出する生体情報演算部と、を備えるので、被測定者は、１回の操作で第１生体情報を入力することができ、第３生体情報を簡便に得ることができる。
【発明を実施するための最良の形態】
【００２５】
図面を参照して本発明の実施形態について説明する。本発明の各実施形態では、被測定者の第１生体情報が１回の操作で入力可能であるとともに被測定者の第２生体情報が測定され、入力された第１生体情報及び測定された第２生体情報に基づいて第３生体情報が算出される。
【００２６】
ここで「第１生体情報が１回の操作で入力可能」とは、１回の入力動作のみによって第１生体情報が入力可能であることを意味し、一例として、１回のスライド動作、１回の回転動作、１回のプッシュ動作、或いは１回のタッチ動作で、操作部を操作することによって第１生体情報が入力される構成が、本発明の実施態様に含まれる。なお、第１生体情報が被測定者に関する複数の生体情報を含む場合に、複数の生体情報の各々又は一部が１回の操作で入力可能に構成されてもよいし、複数の生体データの総てを１回の操作で入力可能に構成されてもよい。
【００２７】
本発明において「第１生体情報」とは、後述の第２生体情報とともに第３生体情報を求める場合のパラメータとして用いられる被測定者の生体情報であり、例えば被測定者の身長、性別、年齢を挙げることができる。この第１生体情報は、特に、本発明に係る生体測定装置による実測では得られない被測定者の生体情報を意味する。従って、例えば、身長は、本発明を身長測定機能のない生体測定装置に適用する場合には第１生体情報として扱い、身長測定機能付きの生体測定装置に適用する場合には第２生体情報として扱えばよい。
【００２８】
また、「第２生体情報」とは、本発明の生体測定装置によって測定可能な被測定者の生体情報であり、その被測定者に関する追加の情報（例えば、前記第１生体情報）の取得を必要とすることなく得られる生体情報である。第２生体情報としては、例えば、体重、生体インピーダンスを挙げることができる。
【００２９】
また、「第３生体情報」とは、本発明の生体測定装置によって測定可能な被測定者の生体情報であって、特に、第１生体情報及び／又は第２生体情報をパラメータとして算出（推定）される被測定者の生体情報である。より具体的には、第３生体情報は、前記パラメータを、予め所望の生体情報ごとに定めた回帰式に適用して演算することにより、推定値として算出される。第３生体情報としては、例えば、体脂肪率、内臓脂肪レベル（内臓脂肪面積）、体水分量、筋肉量、基礎代謝量、骨量、除脂肪量、体細胞量、ＢＭＩ（Ｂｏｄｙ  Ｍａｓｓ  Ｉｎｄｅｘ）、肥満度、細胞内液量、細胞外液量を挙げることができる。
【００３０】
以下では、被測定者の身長及び性別（第１生体情報）が手動で入力されるとともに、被測定者の体重及び生体インピーダンス（第２生体情報）を測定し、これらの身長、性別、体重及び生体インピーダンスから所定の回帰式に従って体脂肪率（第３生体情報）を算出する体脂肪計（生体測定装置）に対し、本発明を適用する例について説明する。
【００３１】
（第１実施形態）
図１は、第１実施形態に係る体脂肪計（生体測定装置）１０の外観構成を示す正面図、図２は、第１実施形態に係る体脂肪計１０の主たる機能構成を示すブロック図である。
【００３２】
図１に示すように、本実施形態の体脂肪計１０は、略箱形の本体２０と、本体２０の裏面側に突出して設けられて本体２０を支持する脚部（図示せず）と、を備える。
【００３３】
本体２０には、表示部２１と、電極部材３０（通電電極３１Ｌ、３１Ｒ、測定電極３２Ｌ、３２Ｒ）と、男性用性別入力部４１と、女性用性別入力部４２と、電源ＯＦＦスイッチ４３と、身長入力部５０（男性用身長入力部５１及び女性用身長入力部５２）と、マイクロプロセッサ６０と、補助メモリ７２と、インピーダンス測定部７４と、ロードセル７６と、体重測定部７８と、電源部７９と、が設けられている。
以下に、各部材の詳細な構成について説明する。
【００３４】
図２に示すように、表示部２１、インピーダンス測定部７４（生体情報測定部）、体重測定部７８（生体情報測定部）、補助メモリ７２、身長入力部５０（生体情報入力部）、男性用性別入力部４１（生体情報入力部）、女性用性別入力部４２（生体情報入力部）、電源ＯＦＦスイッチ４３、電源部７９は、マイクロプロセッサ６０（生体情報演算部）に接続されている。なお、電極部材３０（通電電極３１Ｌ、３１Ｒ、測定電極３２Ｌ、３２Ｒ）はインピーダンス測定部７４を介して、ロードセル７６は体重測定部７８を介して、それぞれマイクロプロセッサ６０に接続されている。
【００３５】
本体２０は、一例として、樹脂（例えば、ＡＢＳ樹脂（アクリロニトリル／ブタジエン／スチレン共重合体）、ガラス）等を成形してなるカバー部材と、金属製の底板部材とを結合させて、扁平の略箱状に形成される。
【００３６】
図１に示すように、本体２０の上面には、薄板状の４つの電極部材３０（通電電極３１Ｌ、３１Ｒ、測定電極３２Ｌ、３２Ｒ）が互いに離間して配置されている。本実施形態においては、４つの電極部材３０のうち、表示部２１側の２つの電極部材３１Ｌ、３１Ｒを通電電極、他方側の電極部材３２Ｌ、３２Ｒを測定電極としている。
なお、本実施形態において、電極部材３０は、通電電極３１Ｌ、３１Ｒ、測定電極３２Ｌ、３２Ｒの計４つを設ける構成としたが、必ずしも４つに限定されることはない。例えば、通電電極と測定電極の機能を兼ね備えた２つの電極によって構成してもよい。反対に、電極部材３０に加え、本体２０と接続コードにより電気的に互いに接続されて利用者が両手でそれぞれ把持可能なグリップ部材に、別の電極部材（手電極）を設けるようにしてもよい。
【００３７】
インピーダンス測定部７４は、マイクロプロセッサ６０からの指示信号に従って、通電電極３１Ｌ、３１Ｒに所定の微弱な電流を供給するとともに、測定電極３２Ｌ、３２Ｒ間の電圧を測定することができるようになっている。すなわち、このインピーダンス測定部７４は、通電電極３１Ｌ、３１Ｒから被測定者の身体に電流を流し、この電流経路に発生する電圧を測定電極３２Ｌ、３２Ｒにおいて測定するようになっている。そしてインピーダンス測定部７４は、通電電極３１Ｌ、３１Ｒから印加された電流値と、測定電極３２Ｌ、３２Ｒ間で測定された電圧値と、に基づいて、被測定者の生体インピーダンスを算出することができるようになっている。従って、生体インピーダンス測定部７４は、電極部材３０（通電電極３１Ｌ、３１Ｒ、測定電極３２Ｌ、３２Ｒ）とともに、第２生体情報に関する生体情報測定部の１つとして機能する。このようにして実測により求められる被測定者の生体インピーダンスは、インピーダンス測定部７４からマイクロプロセッサ６０に出力されるようになっている。
【００３８】
本体２０の内部には、本体２０に載った被測定者の荷重を検知するロードセル７６（図２参照）が設けられており、ロードセル７６は、体重測定部７８を介してマイクロプロセッサ６０に接続されている。ロードセル７６は、一例として、荷重をかけると荷重に応じて変形する金属部材の起歪体と、起歪体に貼られる歪みゲージと、によって構成されている。歪みゲージは、例えばストレンゲージを用いることができ、ホイートストンブリッジ回路を構成するように起歪体に貼られており、被測定者の体重による起歪体の撓み（伸縮）を、電気抵抗値の変化として捉えることができるものである。ロードセル７６は、本体２０が、ロードセル７６の起歪体の一端に支持され、起歪体の他端が脚部に支持されるように設けられる。これにより、被測定者が本体２０の上面に載ったときの荷重により起歪体が撓むと、歪みゲージが伸縮して歪みゲージの伸縮に応じてロードセル７６の出力値が変化するので、その変化に基づいて体重測定部７８が体重を測定する。すなわち、体重測定部７８は、本体２０に荷重がかかっていないときのロードセル７６からの出力値（いわゆるゼロ点）と、荷重がかかったときの出力値と、の差から体重を算出することで、被測定者の体重が測定されるようになっている。従って、体重測定部７８は、ロードセル７６とともに、第２生体情報に関する生体情報測定部の１つとして機能する。なお、体重測定部７８における体重の測定単位は任意であり、例えば１００ｇ単位で、被測定者の体重を測定することができる。このようにして実測により求められる被測定者の体重は、体重測定部７８からマイクロプロセッサ６０に出力されるようになっている。
【００３９】
表示部２１は、マイクロプロセッサ６０から送られてくる各種データを表示するデータ表示手段であり、マイクロプロセッサ６０により制御され、被測定者の各種生体情報などを表示する。表示部２１の一例として、フルドットＬＣＤ（Ｌｉｑｕｉｄ  Ｃｒｙｓｔａｌ  Ｄｉｓｐｌａｙ）などの液晶を用いたものが挙げられる。
【００４０】
マイクロプロセッサ６０には、更に、体脂肪計１０で用いられる各種データを記憶可能な補助メモリ７２と、体脂肪計１０の各種機器類の電力源となる電源部７９とが接続されている。
【００４１】
補助メモリ７２は、マイクロプロセッサ６０の演算処理時に使用される被測定者の身長、性別、その他のデータ類を記憶しておく書き換え可能な不揮発性の記憶手段である。補助メモリ７２に記憶されるデータ類は、マイクロプロセッサ６０によって適宜読み出され、被測定者の生体情報の測定等に用いられる。
【００４２】
電源部７９は、コンセント等の外部電力供給源に接続されるプラグや電池（バッテリー）などの内部電力供給源によって構成される電力供給手段であり、体脂肪計１０の各種機器類には、マイクロプロセッサ６０を介して電力が供給されるようになっている。
【００４３】
電源ＯＦＦスイッチ４３は、体脂肪計１０の各種機器類に対する通電を止める際に押されるスイッチである。電源ＯＦＦスイッチ４３が押されると、電源ＯＦＦスイッチ４３からマイクロプロセッサ６０に測定終了信号が出力され、マイクロプロセッサ６０によって体脂肪計１０の各種機器類に対する通電が止められ、電源ＯＦＦ状態となるように構成されている。
【００４４】
マイクロプロセッサ６０は、体脂肪計１０を構成する各種機器類の制御部として機能し、例えば、身長入力部５０、並びに、男性用性別入力部４１及び女性用性別入力部４２における生体情報（第１生体情報）の入力に関する処理制御、インピーダンス測定部７４及び体重測定部７８における生体情報（第２生体情報）の処理制御、体脂肪率等の生体情報（第３生体情報）に関する演算処理、表示部２１の表示制御、補助メモリ７２等の記憶手段に対するデータの読み出しや書き込みの処理等、各種の処理及び制御を行う。
【００４５】
図３は、マイクロプロセッサ６０のハード構成の一部を示すブロック図である。マイクロプロセッサ６０は、演算処理などを行うＣＰＵ（中央演算処理装置）６１と、ＣＰＵ６１に接続されるＲＯＭ（不揮発性メモリ）６２及びＲＡＭ（揮発性メモリ）６３と、ＣＰＵ６１、ＲＯＭ６２及びＲＡＭ６３に接続される外部入出力インターフェイス６４と、を有する。
【００４６】
ＲＯＭ６２は、ＣＰＵ６１によって実行される各種の制御プログラム等を記憶し、ＲＡＭ６３は、測定生体データやＣＰＵ６１による演算データの一時的な退避箇所として用いられる。外部入出力インターフェイス６４は、マイクロプロセッサ６０に接続される外部機器類との間におけるデータ入出力に関するインターフェイスとして機能する。
【００４７】
ＣＰＵ６１は、ＲＯＭ６２やＲＡＭ６３に記憶されるプログラムやデータと、外部入出力インターフェイス６４を介して外部機器類（身長入力部５０など）から入力される第１生体情報と、実測される第２生体情報とを用いて、所定の回帰式に基づき、被測定者の第３生体情報を算出するようになっている。特に、本実施形態のＣＰＵ６１は、被測定者の身長及び性別といった第１生体情報と、被測定者の体重及び生体インピーダンスといった第２生体情報とを用いて、第３生体情報としての体脂肪率を算出するようになっている。なお、ＣＰＵ６１における体脂肪率の算出単位は任意であり、一例として、０．１％単位で被測定者の体脂肪率を算出するようにすればよい。
【００４８】
ＣＰＵ６１で算出される被測定者の体脂肪率等の第３生体情報は、身長及び性別といった第１生体情報、並びに体重等の第２生体情報とともに、表示データとしてマイクロプロセッサ６０から表示部２１に適宜送られる。表示部２１は、マイクロプロセッサ６０から送られてくる表示データに基づいて、被測定者のこれらの生体情報を適宜表示する。
【００４９】
次に、第１生体情報の生体情報入力部としての、身長入力部５０並びに男性用性別入力部４１及び女性用性別入力部４２について、その具体的な構成の一例を説明する。なお、本実施形態においては、被測定者の身長情報が入力される身長入力部５０（男性用身長入力部５１及び女性用身長入力部５２）が表示部２１の手前側に設けられ、また、本体２０の側面には、被測定者の性別情報が入力される男性用性別入力部４１及び女性用性別入力部４２が設けられているが、それぞれの位置や形状は適宜変更可能である。
【００５０】
図１に示すように、本実施形態の身長入力部５０は、性別情報に対応するように男性用身長入力部５１及び女性用身長入力部５２という複数の入力部を有し、各入力部は、被測定者の身長情報が１回の操作で入力可能なスライド式の操作部（スライド部５１ｂ）を有する。また、男性用性別入力部４１及び女性用性別入力部４２は、性別情報に対応するように設けられ、各入力部は、被測定者の性別情報が１回の操作で入力されるプッシュボタン式の操作部となっている。
【００５１】
図４は、身長入力部５０の拡大図であり、男性用身長入力部５１及び女性用身長入力部５２が並列的に配置される例を示す。
【００５２】
男性用身長入力部５１及び女性用身長入力部５２の各々は、所定範囲（図４では、一例として１５０ｃｍ〜１８０ｃｍの範囲）の身長情報が表示される身長情報表示部５１ａ、５２ａと、スライド自在に設けられるスライド部５１ｂ、５２ｂと、を有する。スライド部５１ｂ、５２ｂの表面には、外部から視認することができる調整マーク５１ｃ、５２ｃがそれぞれ形成されており、この調整マーク５１ｃ、５２ｃを有するスライド部５１ｂ、５２ｂは、身長情報表示部５１ａ、５２ａの身長情報とそれぞれ関連づけられて設けられている。
【００５３】
身長入力部５０は、男性用身長入力部５１と女性用身長入力部５２とで、異なる色により彩色されるのが好適であり、例えば、男性用身長入力部５１の各部は青系統の色、女性用身長入力部５２の各部は赤系統の色で、それぞれ彩色する。このような色分けにより、ユーザ（被測定者）は、どちらが男性用又は女性用の身長入力部５０であるかを直感的に見分けることができる。
【００５４】
身長入力部５０を用いた被測定者の身長情報の入力は、被測定者の性別に応じた身長入力部５０（男性用身長入力部５１又は女性用身長入力部５２）において、身長情報表示部５１ａ、５２ａの中から被測定者の身長に対応する位置に調整マーク５１ｃ、５２ｃを合わせるように、スライド部５１ｂ又は５２ｂが物理的にスライド移動されることにより行われる。したがって、被測定者は、自分が男性の場合には男性用身長入力部５１のスライド部５１ｂ、５２ｂをスライド移動させ、女性の場合には女性用身長入力部５２のスライド部５１ｂ、５２ｂをスライド移動させることによって、被測定者の身長情報を入力することができる。
【００５５】
なお、身長入力部５０は、マイクロプロセッサ６０及び表示部２１（図２参照）への通電のスイッチも兼ねるようにして、被測定者がスライド部５１ｂ又は５２ｂをスライド移動させたときに、マイクロプロセッサ６０によって表示部２１が点灯されるようにしてもよい。この場合、表示部２１は、マイクロプロセッサ６０によって制御され、スライド部５１ｂ、５２ｂの調整マーク５１ｃ、５２ｃが指し示す身長情報を大きく表示させるようにすれば、被測定者は、この表示部２１における身長情報の表示に基づいて、スライド部５１ｂ又は５２ｂのスライド移動を調整することができる点で好適である。
【００５６】
被測定者の身長情報は、以上のような身長入力部５０の操作により、連続的な身長情報の中から直感的かつ簡便に入力することができる。例えば被測定者（男性）の身長が１７３ｃｍの場合、被測定者は、身長情報表示部５１ａの「１７０ｃｍ」と「１７５ｃｍ」との中間部にスライド部５１ｂをスライド移動させることにより、被測定者の身長情報を入力することができる（図４参照）。同様に、被測定者（女性）の身長が１５５ｃｍの場合、被測定者は、身長情報表示部５１ａの「１５５ｃｍ」の位置にスライド部５１ｂをスライド移動させることにより、被測定者の身長情報を入力することができる（図４参照）。このようにして入力される被測定者の身長情報は、身長入力部５０からマイクロプロセッサ６０に出力されるようになっている。
【００５７】
一方、男性用性別入力部４１及び女性用性別入力部４２は、図１に示すようなプッシュボタン式の入力部であり、性別情報に対応するように男性用性別入力部４１と女性用性別入力部４２とが設けられている。被測定者の性別情報は、男性用性別入力部４１及び女性用性別入力部４２のうち被測定者の性別に対応する方の入力部が手や足で押されることによって（図１の矢印参照）、直感的かつ簡便に入力することができる。被測定者は、自分が男性の場合は男性用性別入力部４１を押し、女性の場合は女性用性別入力部４２を押すことになる。このようにして入力される被測定者の性別情報は、男性用性別入力部４１及び女性用性別入力部４２からマイクロプロセッサ６０に出力されるようになっている。
【００５８】
なお、男性用性別入力部４１と女性用性別入力部４２とは、身長入力部５０と同様に、異なる色で彩色されており、一例として、男性用性別入力部４１が青系統の色、女性用性別入力部４２が赤系統の色とすればよい。この色分けにより、ユーザは、男性用性別入力部４１及び女性用性別入力部４２を直感的に見分けることができるとともに、性別情報毎に設けられた身長入力部５０（男性用身長入力部５１及び女性用身長入力部５２）との対応関係も直感的に把握することができる。
【００５９】
また、男性用性別入力部４１及び女性用性別入力部４２は、体脂肪計１０における測定開始スイッチを兼ねる。すなわち、被測定者の性別情報が男性用性別入力部４１又は女性用性別入力部４２を介して入力されることにより、マイクロプロセッサ６０を介して、体脂肪計１０の各種機器類への通電が行われるとともに測定のための設定（登録）が行われる。これにより、インピーダンス測定部７４（生体情報測定部）における生体インピーダンスの測定、体重測定部７８（生体情報測定部）における体重の測定、及びマイクロプロセッサ６０（生体情報演算部）における体脂肪率の算出等が可能な状態にセッティングされる。
【００６０】
なお、前記のように、身長入力部５０がマイクロプロセッサ６０及び表示部２１（図２参照）への通電のスイッチを兼ねる構成（［００５５］参照）にあっては、次のように構成すればよい。例えば、男性用性別入力部４１又は女性用性別入力部４２の操作前に、既に身長入力部５０のスライド部５１ｂ又は５２ｂが操作された場合は、表示部２１及びマイクロプロセッサ６０は既に通電されているので、男性用性別入力部４１又は女性用性別入力部４２の操作が行われたときに、他の機器類（例えばインピーダンス測定部７４、体重測定部７８等）に対する通電が行われるようにする。一方、男性用性別入力部４１又は女性用性別入力部４２の操作前に、身長入力部５０のスライド部５１ｂ又は５２ｂが未だ操作されていない場合には、男性用性別入力部４１又は女性用性別入力部４２の操作が行われたときに、表示部２１及びマイクロプロセッサ６０を含む体脂肪計１０の各種機器類に対する通電が行われるようにすればよい。
【００６１】
次に、本実施形態の体脂肪計１０の作用について、図５に示される測定例を参照して説明する。図５は、第１実施形態に係る体脂肪計１０を用いた測定例を示すフローチャートであり、体脂肪計１０を購入した直後に体脂肪率等の測定が行われるケースが示されている。
【００６２】
まず、被測定者によって電源部７９の準備が行われる（図５のステップＳ１０）。具体的には、体脂肪計１０が電池式の場合には電池が電源部７９にセットされ、プラグ式の場合にはプラグがコンセントに差し込まれる。
【００６３】
そして、被測定者の身長情報が身長入力部５０のスライド部５１ｂ又は５２ｂを介して入力される（ステップＳ１１）。このとき、被測定者は、スライド部５１ｂ又は５２ｂを１回の操作でスライド移動させればよいので、被測定者の身長情報の身長入力部５０による入力作業は、極めて直感的かつ簡便なものとすることができる。このようにして入力された被測定者の身長情報は、マイクロプロセッサ６０を介して体脂肪計１０の各種機器類への通電が行われたときに（後述のステップＳ１２）、身長入力部５０からマイクロプロセッサ６０に送られる。
【００６４】
なお、前記のように、身長入力部５０がマイクロプロセッサ６０及び表示部２１（図２参照）への通電のスイッチを兼ねる構成（［００５５］参照）にあっては、スライド部５１ｂ又は５２ｂをスライド移動させることによって、マイクロプロセッサ６０及び表示部２１が通電され、スライド部５１ｂ、５２ｂの調整マーク５１ｃ、５２ｃが指し示す身長情報が、表示部２１においてリアルタイムに表示される。したがって、被測定者は、表示部２１に大きく表示された身長情報を参照することで、被測定者の身長情報を身長入力部５０に対して正確に入力することができる。
【００６５】
次に、被測定者の性別情報が男性用性別入力部４１又は女性用性別入力部４２を介して入力される（ステップＳ１２）。このとき、被測定者は、男性用性別入力部４１及び女性用性別入力部４２の中から被測定者の性別に対応する方の入力部を、１回の操作で押せばよいので、被測定者の性別情報の入力作業は、極めて直感的かつ簡便なものとすることができる。このようにして男性用性別入力部４１又は女性用性別入力部４２の操作により、マイクロプロセッサ６０を介して、体脂肪計１０の各種機器類への通電が行われるとともに、男性用性別入力部４１及び女性用性別入力部４２により入力された性別情報は、男性用性別入力部４１及び女性用性別入力部４２からマイクロプロセッサ６０に送られ、表示部２１に表示等される。なお、表示部２１に表示される被測定者の性別情報に誤りがある場合、被測定者に対して、男性用性別入力部４１又は女性用性別入力部４２により性別情報を再度入力することを促す案内表示を、表示部２１において表示するようにしてもよい。
【００６６】
また、男性用性別入力部４１又は女性用性別入力部４２の操作が行われることによって、体脂肪計１０の測定準備が行われる。具体的には、マイクロプロセッサ６０及び表示部２１を含む各種機器類に対する通電が行われ、身長入力部５０に入力された身長情報の確定（登録）、ロードセル７６を介した体重測定部７８における体重の測定準備（いわゆるゼロ点の調整を含む）、電極部材３０を介したインピーダンス測定部７４における生体インピーダンスの測定準備を含む、各種機器類の測定準備が行われる。
【００６７】
そして、体脂肪計１０の測定準備が完了した後、被測定者が、各電極部材３０（通電電極３１Ｌ、３１Ｒ、測定電極３２Ｌ、３２Ｒ）に接触するように、本体２０の上に載る（ステップＳ１３）。これにより、体脂肪計１０では、被測定者の生体インピーダンス及び体重がインピーダンス測定部７４及び体重測定部７８において測定され（ステップＳ１４）、生体インピーダンス及び体重（第２生体情報）がマイクロプロセッサ６０に送られる。そして、被測定者の身長及び性別（第１生体情報）と、生体インピーダンス及び体重（第２生体情報）と、をパラメータとして、所定の回帰式に従って、被測定者の体脂肪率（第３生体情報）がマイクロプロセッサ６０において算出される（ステップＳ１５）。
【００６８】
測定及び算出された被測定者の体重及び体脂肪率は、マイクロプロセッサ６０から表示部２１に出力され、入力された身長情報及び性別情報とともに表示部２１に表示される（ステップＳ１６）。ユーザは、このような表示部２１における表示によって、自己の体重及び体脂肪率等を知ることができる。
【００６９】
その後、体脂肪計１０による測定を続ける場合には（ステップＳ１７でＹＥＳ）、上述のステップＳ１１〜Ｓ１６が繰り返される。この時、体脂肪計１０の各種機器類に対する通電状態は維持され、身長入力部５０による新たな被測定者の身長情報の入力（ステップＳ１１）、並びに男性用性別入力部４１又は女性用性別入力部４２による新たな被測定者の性別情報の入力（ステップＳ１２）を経て、新たな被測定者の生体インピーダンス及び体重の測定及び体脂肪率の算出・表示（ステップＳ１４〜ステップＳ１６）が行われる。
【００７０】
一方、体脂肪計１０による測定を終了する場合には（ステップＳ１７でＮＯ）、ユーザによって電源ＯＦＦスイッチ４３が押されることにより、或いは、所定時間経過後に、体脂肪計１０の各種機器類への通電が止められる。
【００７１】
以上説明したように、本実施形態の体脂肪計１０によれば、極めて直感的かつ簡便な操作によって、被測定者の体脂肪率（第３生体情報）を簡便に測定することができる。図１２に示す従来の体脂肪計では、測定を開始するまでに多くのステップを経なければ被測定者の体脂肪率を測定することができず、事前の入力操作が極めて煩雑なものであった。特に、従来の体脂肪計では、設定登録ボタンを押して登録モードにした後、アップボタン又はダウンボタン等を幾度も押しながら生体情報を設定するような入力作業が必要とされていた。これに対し、本実施形態の体脂肪計１０では、測定を開始するまでの操作（図５のステップＳ１０〜ステップＳ１２参照）は非常に少ないステップであり、かつ、被測定者の身長情報及び性別情報の各々が１回の操作のみで入力できるので、利便性が向上し、購入後すぐに被測定者の体脂肪率を測定することができる。従来の体脂肪計には、年齢まで入力させるようなものも多いが、本来、体脂肪率の算出に際しては、体重と、生体インピーダンスと、身長と、性別が、パラメータとして存在すればよく、年齢はパラメータとして必要とされない。従って、本発明の上記実施形態に係る体脂肪計では、年齢の入力作業を割愛し、簡便な操作をさらに実現している。
【００７２】
このように、「１回の操作のみ」で被測定者の第１生体情報（身長情報、性別情報）を入力することができる本実施形態の体脂肪計１０は非常に単純明快であり、難解で複雑な操作は必要とされない。そのため、機械に弱い人々や６０代、７０代といったシニア層の人々であっても、体脂肪計１０に電池を入れたりプラグをコンセントに入れたらすぐに、体重及び体脂肪率の測定を行うことができる。また、多人数によって本実施形態の体脂肪計１０が使用される場合であっても、測定操作がシンプルであり、個人の生体情報（身長情報、性別情報）の入力を直感的に行うことができるので、簡単かつ短時間に、体重及び体脂肪率の測定を行うことができる。
【００７３】
また、本実施形態の体脂肪計１０では、電源ＯＦＦスイッチ４３を押して体脂肪計１０の各種機器類への通電を止めた後も、身長入力部５０のスライド部５１ｂ、５２ｂのスライド位置（物理的状態）は保持される。したがって、特定の被測定者のみが本実施形態の体脂肪計１０を継続して使用する場合、２回目以降の測定では、身長情報表示部５１ａ、５２ａのスライド部５１ｂ、５２ｂに触れることなく、男性用性別入力部４１及び女性用性別入力部４２を押すだけで体重及び体脂肪率の測定を行うことができ、より簡便な測定が可能になる。特に、成人後の身長は急激に変わることがないため、このような使用方法により測定を行ったとしても、体脂肪率の測定結果の信頼度は高い。また、一般的には身長を正確に測る機会が多くないので、おおよその体脂肪率を知ることができればよいと考える被測定者も多い。そのようなユーザにとっても、２回目以降の測定では男性用性別入力部４１又は女性用性別入力部４２を押すだけで体重及び体脂肪率の測定を行うことができる本実施形態の体脂肪計１０は、非常に有用である。
【００７４】
また、本実施形態の体脂肪計１０では、性別情報毎に身長入力部５０、並びに男性用性別入力部４１及び女性用性別入力部４２（生体情報入力部）が設けられている。したがって、特定の男性被測定者及び女性被測定者の計二人が本実施形態の体脂肪計１０を使用する場合、２回目以降の測定では、身長情報表示部５１ａ、５２ａのスライド部５１ｂ、５２ｂに触れることなく、男性用性別入力部４１及び女性用性別入力部４２を押すだけで体重及び体脂肪率の測定を簡便に行うことができる。これは、子供の居ない夫婦や子供が独立して二人で生活する夫婦が増えている最近の社会事情にも沿うものである。
【００７５】
また、このように簡便に測定を行うことができる本実施形態の体脂肪計１０では、測定操作のための難しい説明が不用であり、その取扱説明書も非常に分かりやすいものとすることができる。測定準備から測定開始までの基本説明としては、例えば、「（１）電池を入れる。（２）身長を入力する。（３）性別を入力する。（４）本体２０に載る。」ということを説明すれば足りる。
【００７６】
また、本実施形態の体脂肪計１０では、被測定者の身長、性別、体重及び体脂肪率のみが大画面の表示部２１に表示される非常にシンプルな表示内容となっており、これは簡便で分かりやすい体脂肪計を望むユーザの要求に合致するものである。なお、表示部２１の表示内容は特に限定されず、例えばよりシンプルな表示内容とするために、体重及び体脂肪率のみを表示部２１に表示するようにしたり、体脂肪率のみを表示部２１に表示するようにしてもよい。
【００７７】
次に、上述の第１実施形態の変形例について説明する。
【００７８】
上述の第１実施形態では身長入力部５０がスライド式の入力部であったが、身長入力部の入力方式は特に限定されず、この外に一例として、図６に示すようなダイヤル式の身長入力部１５０であってもよい。
【００７９】
図６に示される身長入力部１５０（男性用身長入力部１５１、女性用身長入力部１５２）は、所定範囲（一例として、図６では１５０ｃｍ〜１８０ｃｍの範囲）の身長情報が表示される身長情報表示部１５１ｃ、１５２ｃと、物理的に回転自在に設けられるダイヤル部１５１ａ、１５２ａと、を有する。ダイヤル部１５１ａ、１５２ａの表面には、外部から視認することができる調整マーク１５１ｂ、１５２ｂが形成されており、この調整マーク１５１ｂ、１５２ｂを有するダイヤル部１５１ａ、１５２ａは、身長情報表示部１５１ｃ、１５２ｃの身長情報と関連づけられて設けられている。本変形例では、被測定者の身長情報に対応する位置にダイヤル部１５１ａ、１５２ａの調整マーク１５１ｂ、１５２ｂが合わせられることによって、被測定者の身長情報が身長入力部１５０に入力されるようになっている。なお、本変形例の男性用身長入力部１５１及び女性用身長入力部１５２は、上述の第１実施形態と同様に、色分けされるのが好適である。また、男性用身長入力部１５１及び女性用身長入力部１５２は、マイクロプロセッサ６０及び表示部２１への通電のスイッチをも兼ね、ダイヤル部１５１ａ、１５２ａが回転されることによって、調整マーク１５１ｂ、１５２ｂの指し示す身長情報が、表示部２１にリアルタイムに表示されるようにしてもよい。
【００８０】
また、上述の第１実施形態では、身長入力部５０における連続的な身長情報の中から被測定者の身長情報が入力される例について説明したが、所定間隔毎の身長情報の中から被測定者の身長情報を入力することができる身長入力部であってもよい。この場合の身長入力部は、例えば所定間隔毎にカチカチとクリック感を伴ってスライド動作、回転動作、又はその他の物理的動作が行われるように設けられてもよく、その所定間隔による身長入力部の移動位置の各々に対して所定の身長情報が対応づけられていてもよい。例えば１５０ｃｍ〜１９０ｃｍの範囲で１ｃｍ刻みや５ｃｍ刻みに動作するように、身長入力部を設けることができる。
【００８１】
また、身長入力部は、スライド動作や回転動作以外の物理的動作に基づいて身長情報が入力されるように構成されていてもよく、例えばプッシュ動作に基づいて身長情報が入力されるような身長入力部であってもよい。
【００８２】
（第２実施形態）
以下、第２実施形態について説明する。上述の第１実施形態は、身長入力部５０と、男性用性別入力部４１及び女性用性別入力部４２と、が別体として設けられていたが、本発明の第２実施形態では、身長情報入力部と性別情報入力部とが一体的に設けられており、被測定者の身長情報及び性別情報という複数の第１生体情報を１回の操作で入力することができるものである。
【００８３】
図７は、第２実施形態に係る体脂肪計（生体測定装置）２１０の外観構成を示す正面図、図８は、第２実施形態に係る体脂肪計２１０の主たる機能構成を示すブロック図である。
【００８４】
第２実施形態の体脂肪計２１０では、第１実施形態において別体として設けられる身長情報入力部と性別情報入力部との代わりに、身長情報入力部及び性別情報入力部の両機能を有する、男性用個人データ入力部２４０及び女性用個人データ入力部２５０（生体情報入力部）が、本体２２０の例えば側面部に設けられ、マイクロプロセッサ６０に接続されている（図８参照）。
【００８５】
図９は、男性用個人データ入力部２４０の拡大図であり、（ａ）は操作前の拡大図、（ｂ）は操作後の拡大図である。なお、図９には男性用個人データ入力部２４０のみを示しているが、女性用個人データ入力部２５０も同様に構成すればよい。従って、以下では、主として男性用個人データ入力部２４０についての説明を行うこととする。
【００８６】
男性用個人データ入力部２４０は、所定範囲（一例として、図９では１５０ｃｍ〜１８０ｃｍの範囲）の身長情報が表示される身長情報表示部２４１と、身長情報表示部２４１の身長情報に関連づけられた複数の分割入力部２４２と、を有する。
【００８７】
複数の分割入力部２４２は、押されることによって物理的に動作するプッシュボタン式の入力部として構成され、各分割入力部２４２ａ〜２４２ｈは押されることによって凹状態となる。また、男性用個人データ入力部２４０は、一度に複数の分割入力部２４２が凹状態を保持しないように構成されている。例えば、第４分割入力部２４２ｄが凹状態にある場合（図９（ｂ）参照）、他の分割入力部２４２が押されるまでは凹状態を保持するが、他の分割入力部２４２（第５分割入力部２４２ｅなど）を凹ませることによってそれまで凹状態にあった第４分割入力部２４２ｄが自動的に元の状態（図９（ａ）参照）に戻るように構成する。
【００８８】
複数の分割入力部２４２は、所定間隔で身長情報と対応づけられており、図９に示される例では１０ｃｍ単位の身長情報の間隔に対して、２つの分割入力部２４２が対応づけられている。例えば１５０ｃｍ前半（１５０ｃｍ〜１５４ｃｍに対応）の身長情報に対しては第１分割入力部２４２ａが対応づけられており、１５０ｃｍ後半（１５５ｃｍ〜１５９ｃｍに対応）の身長情報に第２分割入力部２４２ｂが対応づけられている。同様に、１６０ｃｍ前半（１６０ｃｍ〜１６４ｃｍに対応）、１６０ｃｍ後半（１６５ｃｍ〜１６９ｃｍに対応）、１７０ｃｍ前半（１７０ｃｍ〜１７４ｃｍに対応）、１７０ｃｍ後半（１７５ｃｍ〜１７９ｃｍに対応）、１８０ｃｍ前半（１８０ｃｍ〜１８４ｃｍに対応）及び１８０ｃｍ後半（１８５ｃｍ〜１８９ｃｍに対応）の各々に、第３分割入力部２４２ｃ乃至第８分割入力部２４２ｈが対応づけられている。
【００８９】
このように本実施形態では、所定間隔毎の身長情報の中から、被測定者の身長情報に対応する分割入力部２４２（２４２ａ〜２４２ｈ）が押されることによって、被測定者の身長情報が入力されるようになっている。
【００９０】
このような男性用個人データ入力部２４０及び女性用個人データ入力部２５０に対する被測定者の性別情報及び身長情報の入力は、性別毎に設けられた男性用個人データ入力部２４０及び女性用個人データ入力部２５０における複数の分割入力部の中から、被測定者の性別情報及び身長情報に対応づけられた分割入力部が押されることによって行われる。例えば「性別が男性であり、身長が１６７ｃｍ（すなわち１６０ｃｍ台後半）」という被測定者の生体情報は、男性用個人データ入力部２４０のうち、１６０ｃｍ後半の身長に対応する第４分割入力部２４２ｄが押されて物理的に凹ませることによって、入力される（図９（ａ）の矢印及び図９（ｂ）参照）。
【００９１】
このように、男性用個人データ入力部２４０又は女性用個人データ入力部２５０によって入力される性別情報及び身長情報は、男性用個人データ入力部２４０及び女性用個人データ入力部２５０の分割入力部の物理的な動作状態（凹状態か否か）に応じて決定される。そして、男性用個人データ入力部２４０又は女性用個人データ入力部２５０により入力された被測定者の身長情報及び性別情報は、マイクロプロセッサ６０に出力され、マイクロプロセッサ６０における被測定者の体脂肪率の算出に用いられるようになっている。
【００９２】
なお、本実施形態では、男性用個人データ入力部２４０及び女性用個人データ入力部２５０からマイクロプロセッサ６０に対する身長情報の出力値は、対応範囲の平均値すなわち対応範囲の真ん中の値とすればよい。一例として、１５０ｃｍ前半に対応する第１分割入力部２４２ａが押された場合には「１５２．５ｃｍ」が被測定者の身長情報としてマイクロプロセッサ６０に出力され、１５０ｃｍ後半に対応する第２分割入力部２４２ｂが押された場合には「１５７．５ｃｍ」が被測定者の身長情報としてマイクロプロセッサ６０に出力されるようにすればよい。
【００９３】
また、男性用個人データ入力部２４０及び女性用個人データ入力部２５０は、体脂肪計２１０における測定開始スイッチを兼ねる。すなわち、男性用個人データ入力部２４０及び女性用個人データ入力部２５０の分割入力部を介して被測定者の身長情報及び性別情報が入力されることにより、体脂肪計２１０の各種機器類への通電が行われるとともに測定のための設定が行われるようになっている。
【００９４】
なお、電源ＯＦＦスイッチ４３は、体脂肪計２１０の各種機器類への通電を止めるスイッチとしてだけではなく、分割入力部（男性用個人データ入力部２４０の場合は分割入力部２４２）の凹んだ状態を解除するスイッチとしても機能させてもよい。この場合、電源ＯＦＦスイッチ４３が押されると、体脂肪計２１０の各種機器類への通電が止められるとともに、総ての分割入力部が初期状態（男性用個人データ入力部２４０の分割入力部２４２の場合は図９（ａ）に示す状態）に戻るように構成すればよい。
【００９５】
また、上述の第２実施形態では男性用個人データ入力部２４０及び女性用個人データ入力部２５０が測定開始スイッチを兼ねているが、男性用個人データ入力部２４０及び女性用個人データ入力部２５０とは別個に測定開始スイッチが設けられてもよい。この場合、操作された分割入力部の凹状態が、体脂肪計１０の各種機器類に対する通電の有無に関わらず、保持されるようにしてもよい。すなわち、電源ＯＦＦスイッチ４３が押されて体脂肪計１０の各種機器類への通電が止められても、分割入力部の凹んだ状態が保持されるような構成であってもよい。このような構成にすることで、電源ＯＦＦスイッチ４３を押して体脂肪計１０の各種機器類への通電が一旦止められた後、同じ被測定者が再度測定を行う場合に、男性用個人データ入力部２４０及び女性用個人データ入力部２５０に対する身長情報及び性別情報の入力作業を省略することができる。つまり、前回の測定時に押された分割入力部が凹んだ状態を保持しているので、被測定者の身長情報及び性別情報が前回の測定時と同じ場合には、男性用個人データ入力部２４０及び女性用個人データ入力部２５０の分割入力部に触れる必要がない。したがって、被測定者は、別個に設けられた測定開始スイッチを押すことのみによって、被測定者の体重及び生体インピーダンスの測定結果及び体脂肪率の算出結果を得ることができる。
【００９６】
他の構成は、上述の第１の実施形態の体脂肪計２１０と略同一であり、それらの構成に関する詳細な説明は省略する。
【００９７】
図１０は、第２実施形態に係る体脂肪計２１０を用いた測定例を示すフローチャートであり、体脂肪計２１０を購入した直後に使用するケースが示されている。
【００９８】
まず、ユーザによって電源部７９の準備が行われる（図１０のステップＳ２０）。
【００９９】
そして、被測定者の身長情報及び性別情報が、男性用個人データ入力部２４０又は女性用個人データ入力部２５０の分割入力部を介して入力される（ステップＳ２１）。押されて凹状態の分割入力部に対応する身長情報及び性別情報が、マイクロプロセッサ６０に出力される。
【０１００】
また、分割入力部が押されることによって、各種機器類への通電、ロードセル７６を介した体重測定部７８における体重の測定準備（いわゆるゼロ点の調整を含む）、電極部材３０を介したインピーダンス測定部７４における生体インピーダンスの測定を含む、各種機器類の測定準備も行われる。
【０１０１】
そして、体脂肪計２１０の測定準備が完了した後、被測定者が、各電極部材３０（通電電極３１Ｌ、３１Ｒ、測定電極３２Ｌ、３２Ｒ）に接触するように、本体２０の上に載る（ステップＳ２２）。これにより、体脂肪計２１０では、被測定者の生体インピーダンス及び体重がインピーダンス測定部７４及び体重測定部７８において測定され（ステップＳ２３）、生体インピーダンス及び体重（第２生体情報）がマイクロプロセッサ６０に送られる。そして、被測定者の身長及び性別（第１生体情報）と、生体インピーダンス及び体重（第２生体情報）と、をパラメータとして、所定の回帰式に従って、被測定者の体脂肪率（第３生体情報）がマイクロプロセッサ６０において算出される（ステップＳ２４）。測定及び算出された被測定者の体重及び体脂肪率は、マイクロプロセッサ６０から表示部２１に出力され、入力された身長情報及び性別情報とともに表示部２１に表示される（ステップＳ２５）。ユーザは、このような表示部２１における表示によって、自己の体重及び体脂肪率等を知ることができる。
【０１０２】
その後、体脂肪計２１０による測定を続ける場合には（ステップＳ２６でＹＥＳ）、上述のステップＳ２１〜Ｓ２５が繰り返される。また、測定を終了する場合には（ステップＳ２６でＮＯ）、電源ＯＦＦスイッチ４３が押されることにより、或いは、所定時間経過後に、体脂肪計２１０の各種機器類への通電が止められる。
【０１０３】
以上説明したように、本実施形態の体脂肪計２１０によれば、被測定者は、男性用個人データ入力部２４０及び女性用個人データ入力部２５０を押すだけで、被測定者の身長情報及び性別情報の両方を１回の操作で入力することができ、被測定者の体重及び体脂肪率を、より簡便かつ短時間で測定することができ、利便性が向上する。
【０１０４】
次に、上述の第２実施形態の変形例について、図１１を参照して説明する。図１１は、本発明の第２実施形態の変形例に係る体脂肪計の個人データ入力部の変形例を示す図である。上述の第２実施形態では男性用個人データ入力部２４０及び女性用個人データ入力部２５０がプッシュボタン式の入力部であったが、個人データ入力部の入力方式は特に限定されず、例えば図１１に示すようなタッチパネル式の男性用個人データ入力部３４０及び女性用個人データ入力部３５０であってもよい。
【０１０５】
図１１に示す例では、表示部３２１が、タッチパネル式の男性用個人データ入力部３４０及び女性用個人データ入力部３５０を含む。この男性用個人データ入力部３４０及び女性用個人データ入力部３５０は、所定範囲（一例として、図１１では１５０ｃｍ〜１８０ｃｍの範囲）の身長情報が表示される身長情報表示部３４２、３５２と、身長情報表示部３４２、３５２に対応づけられた複数の分割入力部（タッチパネル）３４４、３５４と、を有する。これらの複数の分割入力部３４４、３５４の各々には所定の身長情報が対応づけられており、図１１に示される例では、図９に示される男性用個人データ入力部２４０と同様に、１０ｃｍ単位の身長情報の間隔に対して２つの分割入力部３４４、３５４が対応づけられている。そして、被測定者の身長情報及び性別情報の入力は、複数の分割入力部３４４、３５４のうち、被測定者の身長情報及び性別情報に対応する位置の分割入力部３４４、３５４がタッチされることによって行われるようになっている。この変形例においては、電池やプラグがセットされ電源部７９に電力が供給されている場合であって、各種機器類への通電が行われていない状態（電源ＯＦＦ状態）であっても、少なくとも男性用個人データ入力部３４０及び女性用個人データ入力部３５０に対する通電は行われるように構成される。これにより、男性用個人データ入力部３４０及び女性用個人データ入力部３５０を測定開始スイッチとしても機能させることができ、被測定者の身長情報及び性別情報が男性用個人データ入力部３４０及び女性用個人データ入力部３５０に対し入力されることで、各種機器類の通電及び測定準備が行われるようになっている。
【０１０６】
以上、本発明の実施形態及びその変形例について説明したが、本発明は、上述の実施形態及びその変形例に限定されるものではなく、各種の変形を加えたり、他の機能を付加することも可能である。
【０１０７】
例えば、上述の実施形態は、体重計付き体脂肪計に対して本発明を適用した例に関するものであるが、体脂肪率以外の第３生体情報を測定可能な体組成計（生体測定装置）に本発明を適用することもできる。体組成計に適用する場合には、第３生体情報の算出に際して被測定者の年齢がパラメータとして必要な場合も生じるが、上述の実施形態で、被測定者の生体情報を入力するためにスライド式、ダイヤル式、プッシュ式、或いはタッチパネル式等の種々の生体情報入力部と同様にして、年齢を入力可能な生体情報入力部を設けるようにすればよい。
【０１０８】
また、上述の実施形態では、被測定者の生体情報を入力するためにスライド式、ダイヤル式、プッシュ式、或いはタッチパネル式の入力部が用いられているが、１回の操作で被測定者の第１生体情報を入力することができるものであれば、どのようなタイプの入力部であってもよい。例えば、物理的に動作してその物理的な動作状態に応じて入力される生体情報（身長情報、性別情報等）が決定される生体情報入力部として、移動することで位置を変えるもの、回転（回動）等することでその配置状態を変えるもの、突出高さを変える（変位する）もの、その他の物理的な状態を変更するものを使用することができる。
【図面の簡単な説明】
【０１０９】
【図１】本発明の第１実施形態に係る体脂肪計（生体測定装置）の外観構成を示す正面図である。
【図２】本発明の第１実施形態に係る体脂肪計の主たる機能構成を示すブロック図である。
【図３】本発明の実施形態に係るマイクロプロセッサ（生体情報演算部）の主たる構成を示すブロック図である。
【図４】本発明の第１実施形態に係る体脂肪計の身長入力部（生体情報入力部）の拡大図である。
【図５】本発明の第１実施形態に係る体脂肪計を用いた測定例を示すフローチャートである。
【図６】本発明の第１実施形態の変形例に係る体脂肪計の身長入力部の変形例を示す図である。
【図７】本発明の第２実施形態に係る体脂肪計の外観構成を示す正面図である。
【図８】本発明の第２実施形態に係る体脂肪計の主たる機能構成を示すブロック図である。
【図９】本発明の第２実施形態に係る体脂肪計の個人データ入力部（生体情報入力部）の拡大図であり、（ａ）は操作前の拡大図、（ｂ）は操作後の拡大図である。
【図１０】本発明の第２実施形態に係る体脂肪計を用いた測定例を示すフローチャートである。
【図１１】本発明の第２実施形態の変形例に係る体脂肪計の個人データ入力部の変形例を示す図である。
【図１２】従来の体脂肪計における測定の流れを示すフローチャートである。
【符号の説明】
【０１１０】
１０    体脂肪計（生体測定装置）
２０    本体
２１    表示部
３０    電極部材（生体情報測定部）
３１Ｌ  通電電極
３１Ｒ  通電電極
３２Ｌ  測定電極
３２Ｒ  測定電極
４１    男性用性別入力部（生体情報入力部、性別情報入力部）
４２    女性用性別入力部（生体情報入力部、性別情報入力部）
４３    電源ＯＦＦスイッチ
５０    身長入力部（生体情報入力部）
５１    男性用身長入力部（生体情報入力部）
５１ａ  身長情報表示部
５１ｂ  スライド部
５１ｃ  調整マーク
５２    女性用身長入力部（生体情報入力部）
５２ａ  身長情報表示部
５２ｂ  スライド部
５２ｃ  調整マーク
６０    マイクロプロセッサ
６１    ＣＰＵ
６２    ＲＯＭ
６３    ＲＡＭ
６４    外部入出力インターフェイス
７２    補助メモリ
７４    インピーダンス測定部（生体情報測定部）
７６    ロードセル（生体情報測定部）
７８    体重測定部（生体情報測定部）
７９    電源部
１５０    身長入力部（生体情報入力部）
１５１    男性用身長入力部（生体情報入力部）
１５１ａ  ダイヤル部
１５１ｂ  調整マーク
１５１ｃ  身長情報表示部
１５２    女性用身長入力部（生体情報入力部）
１５２ａ  ダイヤル部
１５２ｂ  調整マーク
１５２ｃ  身長情報表示部
２１０    体脂肪計（生体測定装置）
２２０    本体
２４０    男性用個人データ入力部（生体情報入力部、個人データ入力部）
２４１    身長情報表示部
２４２    分割入力部（生体情報入力部）
２５０    女性用個人データ入力部（生体情報入力部、個人データ入力部）
２５１    身長情報表示部
２５２    分割入力部（生体情報入力部）
３２１    表示部
３４０    男性用個人データ入力部（生体情報入力部）
３４２    身長情報表示部
３４４    分割入力部
３５０    女性用個人データ入力部（生体情報入力部）
３５２    身長情報表示部
３５４    分割入力部
【図１】
2010022674.tif 000003
【図２】
2010022674.tif 000004
【図３】
2010022674.tif 000005
【図４】
2010022674.tif 000006
【図５】
2010022674.tif 000007
【図６】
2010022674.tif 000008
【図７】
2010022674.tif 000009
【図８】
2010022674.tif 000010
【図９】
2010022674.tif 000011
【図１０】
2010022674.tif 000012
【図１１】
2010022674.tif 000013
【図１２】
2010022674.tif 000014